(57)【要約】【課題】本発明の課題は、携帯電話を接続して他の情報装置とデータ通信を行う情報端末装置において、携帯電話との初期接続確認を確実に行うことができるようにすることである。【解決手段】携帯電話の初期接続確認処理として、上りシリアル信号端子の電位が所定電位以上あるか否かを判定する手段と、所定以上のとき、上りシリアル信号端子を介して所定の要求コマンドデータを送出し、下りシリアル信号端子を介して所定時間内に所定の応答が返ってくるかどうかを判定する手段と、応答があったことを確認してから携帯電話の固有情報を要求し、取得する手段とを備えるように構成した。【選択図】図５
2005277795.tif 000002
【特許請求の範囲】
【請求項１】
携帯電話と接続し、他の情報装置とデータ通信を行う情報端末装置において、前記携帯電話へシリアル信号を送信するための上りシリアル信号端子の電位を検出する検出手段と、前記検出手段にて所定の電位が発生しているかどうかを判定する第１の判定手段と、前記第１の判定手段にて所定の電位が発生していることを検出したことを受けて前記上りシリアル信号端子を介して所定の信号を前記携帯電話に送信する手段と、前記携帯電話からシリアル信号を受信するための下りシリアル信号端子の電位を検出し、前記送信信号に対する応答データが所定時間内に返ってくるかどうかを判定する第２の判定手段と、前記第２の判定手段の判定結果に応じて前記携帯電話の電話番号等の固有情報の取得処理を行うかどうかを判定する第３の判定手段とを有することを特徴とする情報端末装置。
【請求項２】
携帯電話と接続し、他の情報装置とデータ通信を行う情報端末装置において、上記携帯電話との接続を確認する方法であって、前記携帯電話へシリアル信号を送信するための上りシリアル信号端子の電位が所定の電位以上であるか否かを判定する第１のステップと、該第１のステップの判定結果に応じて、前記上りシリアル信号端子を介して所定の信号を前記携帯電話に送出し、前記携帯電話から所定時間内に応答が返ってくるか否かを判定する第２のステップと、該第２ステップの判定結果に応じて前記携帯電話の電話番号等の固有情報の取得処理を行う第３のステップとを有することを特徴とする情報端末装置における携帯電話の接続確認方法。
【請求項３】
携帯電話と接続し、他の情報装置とデータ通信を行う情報端末装置において、前記携帯電話へシリアル信号を送信するための上りシリアル信号端子の電位を検出する検出手段と、前記検出手段からの信号を受け通信制御を行うＣＰＵとを有し、該ＣＰＵは、前記携帯電話へシリアル信号を送信するための上りシリアル信号端子の電位が所定の電位以上であるか否かを判定する第１のステップと、該第１のステップの判定結果に応じて、前記上りシリアル信号端子を介して所定の信号を前記携帯電話に送出し、前記携帯電話から所定時間内に応答が返ってくるか否かを判定する第２のステップと、該第２ステップの判定結果に応じて前記携帯電話の電話番号等の固有情報の取得処理を行う第３のステップとを備えたプログラムを有することを特徴とする情報端末装置。
【発明の詳細な説明】
【技術分野】
【０００１】
本発明は携帯電話を接続して他の情報装置とデータ通信が可能な情報端末装置に係り、特に情報端末装置に直接又は充電器を介して携帯電話が接続された場合と、情報端末装置に携帯電話用充電器のみが接続された場合を識別し、適正な処理を行うことが可能な情報端末装置に関するものである。
【背景技術】
【０００２】
近年、携帯電話を接続し、サーバから所望の情報を入手できるような情報端末装置が普及してきている。例えば、遠隔地にあるサーバに自車位置に関する情報を伝送し、サーバからその位置における天候の情報や交通情報を取得するというようなナビゲーション装置である。このような場合にはまず、情報端末装置を携帯電話に接続し、情報端末がその携帯電話を認識できなければならない。
【０００３】
図１は情報端末装置と携帯電話との接続の概念図であり、１が車載ナビゲーション装置等の情報端末装置、２が携帯電話等の移動無線端末である。この情報端末装置１に例えば１６芯の線で接続させたプラグ３を、携帯電話２のレセプタクル４に挿入することにより両者が接続される。なお、図中５は車載充電器、６はシガーライタ用プラグを示す。
【０００４】
両装置が接続された情報端末装置１より携帯電話２に対してその個人番号等の固有の情報を要求し、携帯電話２がその要求に応答して情報を伝送し、情報端末装置１による情報収得が完了すると、情報端末装置１は携帯電話２の存在を認識していた。
【０００５】
しかしながら、上述の方法では、携帯電話の種類や機種により、個人番号等の固有情報の応答が遅かったり、応答が２回きたり、或いは携帯電話のモードにより情報の送出タイミングが異なったりしていて、接続認識に時間がかかったり、接続に失敗することが多いという問題があった。
【０００６】
そこでこの課題を解決するために、本件と同一出願人は特願２００２−３８０２４９において、情報端末装置から携帯電話に送られるシリアル信号を受信するための携帯電話における上りシリアル信号端子の電位を、情報端末側で検出して携帯電話の接続の有無を検知する方法を提案した。
【発明の開示】
【発明が解決しようとする課題】
【０００７】
ところが上記の提案による方法でも、次のような不具合があることが判明した。通常、情報端末装置と携帯電話を接続するケーブルは図１にも示すように携帯電話の充電器にも接続することが可能である。このため情報端末装置と携帯電話と充電器との接続の形態としては、情報端末装置と携帯電話が直接接続される第１の接続形態と、情報端末装置が充電器を介して携帯電話に接続される第２の接続形態と、情報端末装置が充電器のみに接続され、携帯電話には接続されない第３の接続形態が存在することになる。
【０００８】
然るに、上述の先に提案した方法は第１及び第２の接続形態のように携帯電話が接続されている場合と、第３の接続形態のように携帯電話が接続されていない場合との識別ができないという問題が出てきた。
【０００９】
即ち上りシリアル端子は、充電器内部で抵抗を介して電源に接続されているために、単に情報端末装置を充電器に接続しただけで、上りシリアル端子の電位が変化してしまう。このために前記の方法によると、情報端末装置側で携帯電話が接続されたと判定し、個人番号等の固有情報を取得するための通信を行うが、いくら待っても、更にはリセットをかけても応答がないため、携帯電話に異常があると判断し、動作を停止させてしまう可能性がある。
【００１０】
また前記の方法では、充電器に携帯電話が接続されている状態と接続されていない状態との識別ができないから、情報端末装置が充電器を介して携帯電話に接続されている状態からユーザが携帯電話を外しても情報端末側ではそれを検出できないという問題がある。
【００１１】
本発明の目的は上記のような問題を解決した情報端末装置を提供することにある。具体的には情報端末装置に直接又は充電器を介して携帯電話が接続されている状態と、情報端末装置に充電器だけが接続され、携帯電話が接続されていない状態とを識別し、その違いに応じて異なる処理を実行する情報端末装置を提供することを目的とする。
【課題を解決するための手段】
【００１２】
上記の目的を達成するために本発明に係る情報端末装置は、携帯電話へシリアル信号を送信するための上りシリアル信号端子の電位を検出する検出手段と、前記検出手段にて所定の電位が発生しているかどうかを判定する第１の判定手段と、前記第１の判定手段にて所定の電位が発生していることを検出したことを受けて前記上りシリアル信号端子を介して所定の信号を前記携帯電話に送信する手段と、前記携帯電話からシリアル信号を受信するための下りシリアル信号端子の電位を検出し、前記送信信号に対する応答データが所定時間内に返ってくるかどうかを判定する第２の判定手段と、前記第２の判定手段の判定結果に応じて前記携帯電話の電話番号等の固有情報の取得処理を行うかどうかを判定する第３の判定手段とを有することに一つの特徴がある。
【００１３】
本発明の特徴を情報端末装置と携帯電話との接続確認方法の側面から見ると、携帯電話へシリアル信号を送信するための上りシリアル信号端子の電位が所定の電位以上であるか否かを判定する第１のステップと、該第１のステップの判定結果に応じて、前記上りシリアル信号端子を介して所定の信号を前記携帯電話に送出し、前記携帯電話から所定時間内に応答が返ってくるか否かを判定する第２のステップと、該第２ステップの判定結果に応じて前記携帯電話の電話番号等の固有情報の取得処理を行う第３のステップとを有する携帯電話との接続確認方法に特徴がある。
【００１４】
また、別の側面から見ると、本発明の他の特徴は、携帯電話と接続し、他の情報装置とデータ通信を行う情報端末装置において、前記携帯電話へシリアル信号を送信するための上りシリアル信号端子の電位を検出する検出手段と、前記検出手段からの信号を受け通信制御を行うＣＰＵとを有し、該ＣＰＵは、前記携帯電話へシリアル信号を送信するための上りシリアル信号端子の電位が所定の電位以上であるか否かを判定する第１のステップと、該第１のステップの判定結果に応じて、前記上りシリアル信号端子を介して所定の信号を前記携帯電話に送出し、前記携帯電話から所定時間内に応答が返ってくるか否かを判定する第２のステップと、該第２ステップの判定結果に応じて前記携帯電話の電話番号等の固有情報の取得処理を行う第３のステップとを備えたプログラムを有することにある。
【発明の効果】
【００１５】
本発明によれば、情報端末装置に充電器のみが接続された場合にも誤動作を起こしたり、動作が停止したりすることなく、また、接続された装置が携帯電話の場合はその情報を確実に取得することができる。
【発明を実施するための最良の形態】
【００１６】
本発明を実施するための最良の形態を、以下実施例により説明する。
【実施例】
【００１７】
図２は本発明にかかる情報端末装置の一実施例の基本構成を示す。同図で情報端末装置１は、中央処理装置（以下、ＣＰＵと略す）１１、リードオンリーメモリ（以下ＲＯＭと略す）１２、ランダムアクセスメモリ（以下ＲＡＭと略す）１３、入力部１４、表示部１５及びインタフェース部１６を有し、これらはバス１７によって相互に結合されている。
【００１８】
ＲＯＭ１２には情報端末装置１のＯＳや、モデムソフト、各種アプリケーションソフト等が格納されている。ＲＯＭ１２に代えてフラッシュメモリ等の不揮発性のメモリを用いることもできる。ＲＡＭ１３は各種のソフトの実行の際にワークエリア等に使用される領域で、高速に情報の書き込みや読み出しが可能なシンクロナスＤＲＡＭ等のメモリである。ＲＯＭ１２に格納されたプログラムを実行することにより得られたデータは表示部１５に表示され、例えばナビゲーションの機能を果たすために地図情報の描画等が行われる。入力部１４からは表示された画面を見ながら指示された情報を入力する場合等に用いられる。また、インタフェース部１６には、充電器５を介して携帯電話２が接続される。なお、各信号ラインは充電器５内を通ってそのまま携帯電話２に接続される。
【００１９】
携帯電話として既に多くの種類があるが、本実施例では１６芯のインタフェースを持ったＰＤＣ系の第２世代の携帯電話を使用している。図３に１６芯のインタフェースを持った第２世代の携帯電話における各端子の名称、及び各端子の役割を示す。
【００２０】
本発明の実施例においては、上りシリアル信号及び下りシリアル信号を伝送するための端子Ｐ６、Ｐ７がライン３４，３３を介してＣＰＵ１１のシリアル端子に接続される。また、携帯機操作部制御信号（１）及び携帯機操作部制御信号（２）を伝送するための端子Ｐ１２及びＰ１３がライン３１，３２を介してＣＰＵ１１のＩ／Ｏ端子に接続される。
【００２１】
上りシリアル信号端子Ｐ６は、情報端末装置１から携帯電話２に送られてくるシリアル信号を受信するための携帯電話２側の端子であり、下りシリアル端子Ｐ７は逆に、携帯電話２から情報端末装置１へシリアル信号を伝送するための携帯電話２側の端子である。一方、携帯機操作部制御信号（１）及び（２）の端子Ｐ１２及びＰ１３は、情報端末装置１から携帯電話２を制御する信号を受信するための端子であり、携帯電話２のオン・オフを制御する為に用いられる。
【００２２】
図４は上記の上りシリアル端子Ｐ６近傍の回路構成例を示す。情報端末装置１のＣＰＵ１１のシリアル端子から送られてくるデータによってトランジスタＴｒがＯＮ／ＯＦＦ動作する。この結果、端子Ｐ６にデータに応じた電圧が発生し、これが携帯電話２内のダイオードＤ、ＣＭＯＳバッファ回路ＢＵ等を通して取り込まれる。一方、携帯電話２のＣＭＯＳのバッファ回路ＢＵは電源Ｖｃｃに接続され、ダイオードＤの一端もプルアップ抵抗Ｒ１を通して電源Ｖｃｃに接続されている。なお、本実施例ではＶｃｃは３．３Ｖ、プルアップ抵抗Ｒ１は１０ＫΩ、抵抗Ｒ２は１００Ωに設定されている。
【００２３】
携帯電話２等が接続されていないときは、端子Ｐ６に接続される情報端末装置１側の端子Ｔ６は開放されているので、該端子の電圧は通常１Ｖ程度である。携帯電話２等が接続されると、データが伝送されていない状態（つまりトランジスタＴｒがＯＦＦの状態のとき）でも、Ｖｃｃの電圧が抵抗Ｒ１，ダイオードＤを通して端子Ｐ６に現れる。
【００２４】
このときの端子Ｐ６の電圧は、ダイオードＤ等による電圧降下があるためＶｃｃより若干低い値となるが、Ｖｃｃの電圧の３．３Ｖに近い値となる。即ち携帯電話２等が接続されると情報端末側の端子Ｔ６の電圧レベルは１Ｖから約３．３Ｖに変化し、この電位変化が抵抗Ｒ２を通してＣＰＵ１１に取り込まれるので携帯電話２等の接続が情報端末装置１側で認識することができる。しかしながら前述のように、充電器だけを接続した場合も上記端子Ｔ６の電圧レベルが変化してしまうので、携帯電話２が接続された場合と、充電器５だけが接続され携帯電話２が接続されていない場合を識別するためのプログラムが前述のＲＯＭ１２に格納されている。
【００２５】
図５はＣＰＵ１１で実行されるプログラムの処理フローを示すもので、基本的には情報端末装置１に携帯電話２や充電器５等の外部機器が接続されたか否かを検出するステップ１０１と、接続された外部機器が携帯電話であるか否かを確認する処理ブロック１４０と、接続された外部機器が携帯電話２であった場合に行う各種の固有情報を取得する処理ブロック１３０から成り立っている。
【００２６】
まずステップ１０１においては、ＣＰＵ１１が所定の時間間隔で端子Ｔ６に現れる上りシリアル信号の電圧レベルを監視し、これが所定値以上か否かを判定する。上記電圧レベルが所定値以上の場合には、携帯電話２又は車載充電器５等の外部機器が接続されたものと判断して次の処理ブロック１４０の実行に移る。上記の電圧レベルが所定値より小さい場合は、外部機器が接続されていないものと判断して繰り返しステップ１０１を実行する。
【００２７】
処理ブロック１４０のステップ１２０では、上りシリアル端子Ｐ６（図４）を介して携帯電話２に対して、個人番号表示要求コマンドを送出する。そして、該要求に対する応答が下りシリアル端子Ｐ７を介してあるかどうか確認し（ステップ１２２）、応答がなかった場合には要求を送出してから所定時間経過したかどうか確認し（ステップ１２４）、所定時間経過するまで所望の応答が返ってくるのを待つ。ここで所定時間経過しても応答が返ってこない場合、ステップ１２０に戻り、再度、個人情報表示要求コマンドを送出する。
【００２８】
上記のステップ１２０、１２２、１２４からなる処理１４０は、ステップ１２２の判定がＹＥＳになるまで、つまり接続された外部装置から応答が返ってくるまで繰り返し行われる。外部装置が充電器５だけであって携帯電話２が接続されていない場合は応答が返ってこないから、この処理ブロック１４０により接続された装置の識別ができることになる。
【００２９】
ステップ１２２において所定の応答が返ってきた場合、つまり携帯電話が接続されたと認識された場合には、処理ブロック１３０のステップ１０４に進み、ハンズフリー通知（ＯＮ）を送信する。携帯電話２は通常、音声を外部に出力しないため、ハンズフリー装置等を使用する場合は音声を外部に切換える必要がある。情報端末装置１よりハンズフリー通知（ＯＮ）を受信すると携帯電話２は以下の処理を行う。
【００３０】
まず非電話通信中にハンズフリー通知（ＯＮ）を受信するとハンズフリー確認（ＯＦＦ）を出力し、携帯電話２をハンズフリー装置ＯＦＦモードに設定する。また非電話通信中以外のときに受信すると、ハンズフリー確認（ＯＮ）を出力し、携帯電話２をハンズフリー装置ＯＮモードに設定すると共に、音声を外部に出す状態とする。ステップ１０５ではハンズフリー確認待ちを行い、ＯＮ又はＯＦＦの信号を受信する。
【００３１】
次にステップ１０６において情報端末装置１は携帯電話２に対し、フォーマット番号の要求を出し、ステップ１０７ではその応答を受信する。更にステップ１０８において情報端末装置１は携帯電話２に対して移動機情報、つまり携帯電話２の能力や保持できる情報等を要求し、ステップ１０９においてその応答情報を受信する。ステップ１０９が実行されると必要な情報が収得されたと判断してステップ１１２の待機状態に入る。
【００３２】
上記の一連の処理に対しては例えば２分間のタイマが設置されており、ステップ１０１において上りシリアル信号端子Ｐ６の電圧レベルが高くなったことを検出した後、上記設定時間内に処理ブロック１３０の処理が終了しない場合には、ＣＰＵは第１回目のリトライ信号を発生してステップ１０４に戻り、再び一連の処理が繰り返して行われる。
【００３３】
第１回目のリトライを開始する時点で更に２分間のタイマを設定し、処理ブロック１３０の一連の処理を終了できない場合はステップ１１０に進み携帯電話２をリセットする。このリセットは、前述の図２におけるライン３２（若しくは３２と３１）を介してＣＰＵ１１から携帯電話２に送出する携帯機操作制御信号（２）（若しくは携帯機操作制御信号（１）と（２））をローレベルにすることにより行われる。そして情報端末装置１はステップ１１１で携帯電話２からライン３２を介してリセット信号を受付けた旨の信号を受信すると、再度ステップ１０４からの一連の処理を行い、一連の情報取得が完了すると待機状態に移行する。
【００３４】
図６は図５に示す処理で携帯電話２の接続が確認された後、途中で充電器だけを残して携帯電話２が取り外された場合を検出する処理のフローである。即ち図５のように一連の情報取得が完了すると待機状態に移行するが、その後も所定の時間間隔で情報端末装置１より携帯電話２に対して上りシリアル信号端子Ｐ６を介して個人番号表示要求を送出し（ステップ１３２）、その応答があるか否かを判定する（ステップ１３４）。その判定がＹＥＳのときは待機状態１４０になるが、個人番号情報の応答がない場合はステップ１３６に進み、所定時間経過したか否かを判定する。所定の時間を経過していなければステップ１３４の判定が繰り返して行われる。ステップ１３６の判定の結果、所定時間内に応答信号が返ってこなかった場合は、携帯電話２が車載充電器５から取り外されたか、或いは携帯電話２に何らかの障害が発生したと判断して処理を終了する（ステップ１３８）。
【００３５】
以上、本発明の一実施例について説明したが、本発明の基本的な概念を変更しない範囲内で処理フローの一部を変更することは可能であり、これらも本発明の範囲に包含されることは明らかである。
【図面の簡単な説明】
【００３６】
【図１】情報端末装置と携帯電話及び充電器の接続を示す概念図。
【図２】本発明にかかる情報端末装置の構成例を示す概略構成図。
【図３】携帯電話の外部接続インタフェース部の端子名称と役割を示す説明図。
【図４】上りシリアル信号端子近傍の携帯電話側および情報端末側の回路図。
【図５】本発明の一実施例の接続確認シーケンスを示す流れ図。
【図６】本発明の一実施例の接続確認割り込み処理を示す流れ図。
【符号の説明】
【００３７】
１：情報端末装置
２：携帯電話
３：プラグ
４：レセクタプル
５：車載充電器
６：シガーライタ用プラグ
１１：ＣＰＵ
１２：ＲＯＭ
１３：ＲＡＭ
１４：入力部
１５：表示部
１６：インタフェース部
１７：バス
【図１】
2005277795.tif 000003
【図２】
2005277795.tif 000004
【図３】
2005277795.tif 000005
【図４】
2005277795.tif 000006
【図５】
2005277795.tif 000007
【図６】
2005277795.tif 000008